(57)【要約】【課題】様々なレベルの光品質の光パスが混在していても、無駄な電力消費を抑制することが可能で、省電力化を図る。【解決手段】情報データにオーバヘッドと誤り訂正符号とを付加して形成された伝送フレームを伝送するノード装置であって、受信した伝送フレームの誤り訂正符号の繰り返し復号処理を行う誤り訂正復号回路を備え、誤り訂正復号回路は、内符号復号器、デインターリーバ、及び、外符号復号器からなる、複数の復号器を、縦続接続して構成され、最悪の品質を想定して予め設定された所定の繰り返し回数（最大回数）以前に伝送フレームの誤りビットが全て訂正されたときには、以降の復号器の誤り訂正動作は停止し行わない。【選択図】図５
2010166378.tif 000002
【特許請求の範囲】
【請求項１】
情報データにオーバヘッドと誤り訂正符号とを付加して形成された伝送フレームを伝送するノード装置であって、
伝送フレームを受信する受信手段と、
前記受信手段により受信した伝送フレームの誤り訂正符号の繰り返し復号処理を行う誤り訂正復号手段と
を備え、
前記誤り訂正復号手段は、予め設定された所定の繰り返し最大回数以前に、前記伝送フレームの誤りビットが全て訂正されたときには、以降の誤り訂正動作を停止させる
ことを特徴とするノード装置。
【請求項２】
前記誤り訂正復号手段は、前記伝送フレームの前記誤りビットが全て訂正されたか否かを検出し、全て訂正されたと判定した場合に、以降の復号処理動作を停止することを特徴とする請求項１に記載のノード装置。
【請求項３】
外部に設けられた管理機能において光パスの品質情報に応じて決定された繰り返し復号処理の繰り返し復号回数が入力され、それにより繰り返し復号回数を設定し、繰り返し復号処理の復号回数が、設定された繰り返し復号回数に達したときに、以降の復号処理動作を停止することを特徴とする請求項１に記載のノード装置。
【請求項４】
前記受信手段により受信した伝送フレームの軟判定復号処理を行う軟判定復号手段をさらに備え、
前記誤り訂正復号手段による前記繰り返し復号処理は硬判定復号処理であって、
前記誤り訂正復号手段により、予め設定された所定の繰り返し最大回数以前に、前記伝送フレームの誤りビットが全て訂正されたときには、前記誤り訂正復号手段による復号処理に必要な回路部分のみを動作させ、予め設定された所定の繰り返し最大回数以内に、前記伝送フレームの誤りビットが全て訂正されないときには、前記軟判定復号処理を行うことを特徴とする請求項１ないし３のいずれか１項に記載のノード装置。
【請求項５】
外部に設けられた前記管理機能において光パスの品質情報に応じて少なくとも軟判定復号処理か硬判定復号処理とするかが決定され、軟判定復号処理を行うと決定された場合に、前記管理機能からの制御信号に基づいて、前記軟判定復号手段による前記軟判定復号処理を行うことを特徴とする請求項４に記載のノード装置。
【請求項６】
前記伝送フレームが、ＩＴＵ−Ｔ  Ｇ．７０９あるいはＩＴＵ−Ｔ  Ｇ．９７５に記載のフォーマット、あるいは、少なくともＦＥＣ冗長領域を拡張したフォーマットであることを特徴とする請求項１ないし５のいずれか１項に記載のノード装置。
【請求項７】
請求項１ないし６のいずれかに１項に記載されたノード装置をネットワークにより接続して構成したことを特徴とする光通信システム。
【発明の詳細な説明】
【技術分野】
【０００１】
この発明は光通信システムおよびノード装置に関し、特に、光通信ネットワークにおいて、高性能な誤り訂正機能を具備し、高速大容量で高品質な通信を行う光通信システムおよびノード装置に関するものである。
【背景技術】
【０００２】
誤り訂正を具備した高速大容量な光通信システムに用いられる伝送フレームを示した例として、ITU-T Recommendation G.709に示されたＯＴＵｋ（Optical channel Transport Unit−k）フレームを図１０に示す。ＯＴＵｋフレームは、図１０に示すように、実際の通信データを格納するためのペイロード、フレーム同期のためのＦＡ  ＯＨ（Frame Alignment OverHead）、保守監視情報のためのＯＴＵｋ  ＯＨおよびＯＤＵｋ  ＯＨ（Optical channel Data Unit−k OverHead）、および、ペイロードのマッピングのためのＯＰＵｋ  ＯＨ（Optical channel Payload Unit−k）から構成され、さらに、伝送後の光品質の劣化によるビット誤りを訂正するための誤り訂正符号の情報を格納するＦＥＣ  Redundancyを有している。通常、誤り訂正符号としてはリード・ソロモン符号（以下、ＲＳ符号とする。）（２５５，２３９）が用いられるが、その他にも、ITU-T Recommendation G.975.1に示されるように、誤り訂正性能を向上させるためにＬＤＰＣ符号（Low-Density Parity Check Code）や各種連接符号および積符号が用いられている。なお、一般的に、ＦＡ  ＯＨ、ＯＴＵｋ  ＯＨ、ＯＤＵｋ  ＯＨ、および、ＯＰＵｋ  ＯＨから構成された部分をオーバヘッドと呼び、ＦＥＣ  Redundancyから構成された部分を誤り訂正符号と呼ぶ。
【０００３】
このように、光通信システムにおいては、伝送フレームとして、実際に送信したい情報データであるペイロードに、オーバヘッドと誤り訂正符号とを付加したものを形成し、それを高速かつ長距離に伝送している。
【０００４】
また、誤り訂正性能を向上させるための１つの手法として、繰り返し復号処理が用いられている。従来の誤り訂正復号器の一例を図１１に示す。誤り訂正復号器は、図１１に示すように、内符号の誤り訂正処理を行う内符号復号回路１００４と、データの配列を入れ替えるデインターリーバ１００５と、外符号の誤り訂正処理を行う外符号復号回路１００６と、繰り返し復号を行うためにデータの配列を再度入れ替えるインターリーバ１００７とから構成され、所定回数の誤り訂正を繰り返すことで、誤り訂正性能を向上させる。なお、インターリーバ１００７によりデータの並び替えを行うと、ビットが受信順の配列でなくなるため、誤り発生箇所が集中せず拡散されるので、誤り訂正能力の向上が見込める。
【０００５】
図１１に示した誤り訂正復号器は、所定のＮ回繰り返し復号処理を行うために、処理速度の迅速化のために、Ｎ倍の動作速度で処理を行うか、Ｎ個の回路を縦続接続させて処理を行うか、あるいは、その組み合わせによって実現され、繰り返し数が多いほど誤り訂正性能が向上する。しかし、繰り返し数を多くすると消費電力や回路規模が増大するので、ＬＳＩ技術の制限などを考慮して所定の繰り返し数Ｎが適宜選ばれる。
【先行技術文献】
【非特許文献】
【０００６】
【非特許文献１】ITU-T Recommendation G（ＩＴＵ−Ｔ勧告  Ｇシリーズ）
【発明の概要】
【発明が解決しようとする課題】
【０００７】
以上のように、上述の従来例では、誤り訂正性能を向上させるために繰り返し復号処理が行われているが、光通信システムを構築する際には、最悪の光品質となる光パスを仮定して、誤り訂正符号および繰り返し復号回数が決定され、様々なレベルの光品質の光パスに対しても同一のものを用いるので、光品質の良好な光パスでは無駄な電力が消費され、光通信システム全体の消費電力が増大してしまうという問題点があった。
【０００８】
本発明はかかる問題点を解決するためになされたものであり、様々なレベルの光品質の光パスが混在していても無駄な電力消費を抑制することが可能で、省電力な光通信システムおよびノード装置を提供することを目的とする。
【課題を解決するための手段】
【０００９】
この発明は、情報データにオーバヘッドと誤り訂正符号とを付加して形成された伝送フレームを伝送するノード装置であって、伝送フレームを受信する受信手段と、前記受信手段により受信した伝送フレームの誤り訂正符号の繰り返し復号処理を行う誤り訂正復号手段とを備え、前記誤り訂正復号手段は、予め設定された所定の繰り返し最大回数以前に、前記伝送フレームの誤りビットが全て訂正されたときには、以降の誤り訂正動作を停止させる。
【発明の効果】
【００１０】
この発明は、情報データにオーバヘッドと誤り訂正符号とを付加して形成された伝送フレームを伝送するノード装置であって、伝送フレームを受信する受信手段と、前記受信手段により受信した伝送フレームの誤り訂正符号の繰り返し復号処理を行う誤り訂正復号手段とを備え、前記誤り訂正復号手段は、予め設定された所定の繰り返し最大回数以前に、前記伝送フレームの誤りビットが全て訂正されたときには、以降の誤り訂正動作を停止させるようにしたので、様々なレベルの光品質の光パスが混在していても、無駄な電力消費を抑制することが可能で、省電力化を図ることができる。
【図面の簡単な説明】
【００１１】
【図１】本発明の実施の形態１に係る光通信システムの一例を示したネットワーク図である。
【図２】本発明の実施の形態１に係る光通信システムを構成するＯＡＤＭの構成の一例を示した構成図である。
【図３】本発明の実施の形態１に係る光通信システムを構成するＯＡＤＭに設けられたトランスポンダの構成を示す構成図である。
【図４】本発明の実施の形態１に係る光通信システムにおける繰り返し復号による誤り訂正の性能をグラフで示した説明図である。
【図５】本発明の実施の形態１に係る光通信システムを構成するＯＡＤＭに設けられたＦＥＣフレーマの誤り訂正復号回路の一例を示す構成図である。
【図６】本発明の実施の形態１に係る光通信システムを構成するＯＡＤＭに設けられたＦＥＣフレーマの誤り訂正復号回路の一例を示す構成図である。
【図７】本発明の実施の形態２に係る光通信システムの一例を示したネットワーク図である。
【図８】本発明の実施の形態４に係る光通信システムにおける繰り返し復号による誤り訂正の性能をグラフで示した説明図である。
【図９】本発明の実施の形態４に係る光通信システムを構成するＯＡＤＭに設けられた軟判定回路の構成を示す構成図である。
【図１０】ITU-T Recommendation G.709に示されたＯＴＵｋフレームを示した説明図である。
【図１１】従来の光通信システムに設けられた誤り訂正復号器の構成の一例を示した構成図である。
【発明を実施するための形態】
【００１２】
実施の形態１．
図１は、本発明の実施の形態１に係る光通信システムの一例を示したネットワーク図である。図において、１〜６は光信号を受信して分岐挿入多重を行うＯＡＤＭ装置（ノード装置）であり、これらのＯＡＤＭ装置１〜６は、６ノード構成でリングネットワークを構成している。また、７は、ＯＡＤＭ装置２を介して接続されたＯＡＤＭ装置１とＯＡＤＭ装置３との間の光パスであり、８は、ＯＡＤＭ装置６、ＯＡＤＭ装置５、ＯＡＤＭ装置４を介して接続されたＯＡＤＭ装置１とＯＡＤＭ装置３との間の光パスである。
【００１３】
図２は、各ＯＡＤＭ装置１〜６の構成の一例を示した構成図である。図２において、１０１はＷｅｓｔ側伝送の波長多重信号が入力されて合分波する光合分波器、１０２は、光パスを、光合分波器１０１、光合分波器１０３、および、トランスポンダ１０４，１０５の間で、分岐させるか、挿入するか、あるいは、スルーさせる光スイッチである。１０３は、Ｅａｓｔ側伝送の波長多重信号が入力されて合分波する光合分波器、１０４は光スイッチ１０２に接続され、Ｗｅｓｔ側の光パスを終端して図示しない外部装置へ接続するトランスポンダ、１０５は同様にＥａｓｔ側の光パスを終端して外部装置へ接続するするトランスポンダである。
【００１４】
また、図３は、トランスポンダ１０４，１０５の構成の詳細例を示す構成図であり、１００１は、図示しない外部装置との光信号の送受信を行うクライアント光トランシーバであり、１００２は、伝送フレームを処理するＦＥＣフレーマであり、例えば、上記の図１０に示したITU-T Recommendation G.709に示されたＯＴＵｋフレーム等の伝送フレームを処理するものである。１００３は、ＯＴＵｋフレーム等の伝送フレームを光信号に変換して光スイッチ１０２と接続して光パスを送受信するＷＤＭトランシーバである。
【００１５】
上記のように、各ＯＡＤＭ装置１〜６では、光スイッチ１０２により分岐または挿入される光パスは、トランスポンダ１０４，１０５にて終端され、一方、スルーされる光パスは、光合分波器１０１、光スイッチ１０２、光合分波器１０３を介して電気信号に変換されることなく、光信号のまま、Ｗｅｓｔ側からＥａｓｔ側に中継される。なお、図２では図示していないが、周知のように伝送路の損失が大きい場合には、それぞれの伝送路の入出力には光アンプが具備され、伝送路の損失が補われる。
【００１６】
図１に示したネットワークでは、最も光パスの品質が劣化する経路、たとえば、ＯＡＤＭ装置２、ＯＡＤＭ装置３、ＯＡＤＭ装置４、ＯＡＤＭ装置５を介した、ＯＡＤＭ装置１とＯＡＤＭ装置６との間の光パスの品質劣化を補償可能な誤り訂正性能を実現する誤り訂正方式が適用され、例えば、各種連接符号あるいは積符号と図１０に示したような繰り返し復号が用いられる。本発明においては、このように、光パスの中継数に基づいて光パスの品質を判定するが、中継数だけでなく、さらに光パスの波長数などにも基づいて、光パスの品質を判定するようにしてもよい。
【００１７】
図４は、繰り返し復号による誤り訂正の性能を示した説明図であり、横軸は誤り訂正前の伝送路のビット誤り率、縦軸は誤り訂正後のビット誤り率である。ここで、Ｎは繰り返し復号の回数であり、図のようにＮを大きくすることで誤り訂正性能が向上する。
【００１８】
図５は、本実施の形態１におけるＦＥＣフレーマ１００２に設けられた誤り訂正復号回路の一例を示す構成図であり、１００８および１０１２は内符号の誤り訂正処理を行う内符号復号器、１００９および１０１３は後段の外符号復号のためにデータの配列を入れ替えるデインターリーバ、１０１０および１０１４は外符号の誤り訂正処理を行う外符号復号器、１０１１は、繰り返して復号を行うためにデータの配列を再度入れ替えるインターリーバである。インターリーバ１０１１によるデータの並び替えは、受信順でない順番にデータを配列させることで、誤り発生箇所が集中せず拡散されるため、誤り訂正能力の向上を図る目的で行われる。
【００１９】
図５においては、内符号復号器１００８、デインターリーバ１００９、外符号復号器１０１０、インターリーバ１０１１、内符号復号器１０１２、デインターリーバ１０１３、外符号復号器１０１４の順に従属接続されている。すなわち、本構成では、繰り返し復号を高速で実現するために複数（Ｎ個）の復号器（内符号復号器、デインターリーバ、外符号復号器から構成）を従属接続した例を示しており、図５は、Ｎ＝２の例である。なお、このように、繰り返し復号回路は、複数の復号器を縦続接続するか、または、復号器の動作速度をＮ倍とするか、あるいは、これらの両者の組み合わせにより実現することができ、一般に、回路規模と動作速度とのトレードオフを考慮した構成がとられる。
【００２０】
図１に示した光パス７は、光パス８に比べて、経由するノード数（中継数）も少なく、伝送距離も短いため、品質劣化は小さいとすると、光パス８に比べて、光パス７は少ない繰り返し復号で誤りビットを訂正できる。光パス７を終端するトランスポンダ内の誤り訂正復号回路では、ある繰り返し数で誤りビットが全て訂正された場合、その後段の復号器の誤り訂正動作は停止させる。光パス８でも同様に、ある繰り返し数（光パス７よりも多い回数）で誤りビットが全て訂正された場合、その後段の復号器の誤り訂正動作は停止させる。このように、本実施の形態では、最悪経路の光パスの品質を想定して予め設定された所定の繰り返し回数（最大数）以前に誤りビットが全て訂正された場合には、以降の誤り訂正動作を停止させる。なお、例えば、ＣＭＯＳロジックなどでは、不要ブロックのクロック供給を停止させたり、繰り返し復号処理の動作速度を遅くしたりすることで、停止部分の電力消費を抑えることができ、また、ＣＭＬ等の電流ロジックでは、回路の電流源をスイッチで遮断するなどにより停止部分の電力消費を抑えることができる。
【００２１】
上記で示したように、例えば、最悪経路の光パスの品質補償に必要な繰り返し復号回数は８回（繰り返し最大数）で、光パス７および光パス８に必要な繰り返し復号回数がそれぞれ５回および７回とすると、光パス７と光パス８とで、復号回路３回分と１回分の合計４回分の電力消費を抑制することができる。一般に、ＦＥＣフレーマでは、より強力な誤り訂正性能を得るために誤り訂正復号回路の回路規模および消費電力が大きな割合を占めており、大幅な消費電力低減効果が得られる。
【００２２】
なお、各光パスにおける繰り返し復号回数は以下のようにして決定する。すなわち、全ての誤りビットが訂正されたか否かを、検出回路を別個に設けて検出するか、あるいは、内符号復号器１００８，１０１２または外符号復号器１０１０，１０１４で検出し、全ての誤りビットが訂正されたと判定された場合に、以降の冗長な繰り返し復号は停止するように後段の復号器に復号回路ＯＦＦ制御信号を出力する。図５においては、内符号復号器１００８（または１０１２）が検出した場合には、内符号復号器１００８（または１０１２）から外符号復号器１０１０（または１０１４）に復号回路ＯＦＦ制御信号が送信され、外符号復号器１０１０（または１０１４）がそれを受けて、自身の復号処理の動作は行わないようにする。また、同様に、外符号復号器１０１０が検出した場合には、外符号復号器１０１０から内符号復号器１０１２に復号回路ＯＦＦ制御信号が送信され、内符号復号器１０１２がそれを受けて、自身の復号処理の動作は行わないようにする。
【００２３】
以上説明したように、本発明の実施の形態１によれば、光パスの品質劣化に応じて誤り訂正回路の繰り返し復号回数を変えられるよう構成し、誤りビットが全て訂正された時点で、以降の不要な誤り訂正回路の動作を停止するよう構成したので、省電力なノード装置および光通信システムを提供することができる。
【００２４】
なお、上記の実施の形態１では、内符号と外符号から構成される連接符号あるいは積符号などの例で説明したが、この場合に限定されるものではなく、例えば、ＬＤＰＣ等による単一符号の繰り返し復号でも同様な効果を奏することはいうまでもない。また、２つの誤り訂正性能を組み合わせた例を示したが、その場合に限らず、３つ以上の誤り訂正性能を組み合わせた場合でも同様な効果を奏する。
【００２５】
また、本実施の形態においては、伝送フレームが、ＩＴＵ−Ｔ  Ｇ．７０９に記載のフォーマットである場合を例に挙げて説明したが、その場合に限らず、ＩＴＵ−Ｔ  Ｇ．９７５に記載のフォーマット、あるいは、少なくともＦＥＣ冗長領域を拡張したフォーマットであれば、任意の伝送フレームを用いてもよいことは言うまでもない。
【００２６】
実施の形態２．
上記の実施の形態１では、各復号器において誤りビットが全て訂正された場合、後段の繰り返し復号回路を停止させるよう構成したが、図６に示すように、図示していないノード装置の管理部からの回路ＯＦＦ制御信号に従って、動作を停止するよう構成してもよい。図６は、本実施の形態におけるＦＥＣフレーマ１００２の誤り訂正復号回路の構成を示した図である。図６の構成と図５の構成との違いは、図６においては、回路ＯＦＦ制御信号が、復号器１０１０，１０１２，１０１４に外部から入力されている点である。他の構成および動作については、上記の実施の形態１と同様であるため、ここでは説明を省略する。
【００２７】
図７は本実施の形態に係る光通信システムの構成例を示したネットワーク図である。図７に示すように、本実施の形態においては、各ＯＡＤＭ装置１〜６の監視制御を行うオペレーションシステム９が設けられている。オペレーションシステム９では、各光パスの品質情報に応じて、各光パスに必要な繰り返し復号回数を所定のマージンを持って決定し、この情報を、回路ＯＦＦ制御信号として、各光パスの終端点のノードであるＯＡＤＭ装置１〜６へ送信する。当該情報を受信した各ＯＡＤＭ装置１〜６では、トランスポンダ１０４，１０５のＦＥＣフレーマ１００２に、回路ＯＦＦ制御信号に基づく所定の繰り返し復号回数を設定する。具体的には、図６に示すように、ＦＥＣフレーマ１００２内の内符号復号器１０１２または外符号復号器１０１０，１０１４のうちの、それ以降の復号処理動作を停止すべき復号器に当該回路ＯＦＦ制御信号が入力される。このようにして繰り返し復号回数を予め設定した上で、繰り返し復号処理を行い、回路ＯＦＦ制御信号が入力された復号器によって、復号回数が設定回数に達したか否かを検出して、その回数に達したと判定された場合に、設定回数を超えた、以降の冗長な繰り返し復号処理の動作は停止するようにして、オペレーションシステム９によって決定された繰り返し復号回数の分だけ復号処理動作を繰り返し行うようにする。
【００２８】
以上説明したように、本実施の形態においては、上記の実施の形態１と同様に、省電力なノード装置および光通信システムを提供することができるとともに、さらに、オペレーションシステム９により光パス設定時に所定のマージンを考慮して繰り返し復号回数を静的に決めるよう構成したので、安定して動作する高信頼な光通信システムを提供することができる。
【００２９】
なお、上記の説明においては、繰り返し復号回数を所定のマージンを加えて決定する例について説明したが、所定のマージンの値については適宜決定するものとする。また、所定のマージンを必ずしも加える必要はなく、マージン無しで繰り返し復号回数を決定してもよいものとする。
【００３０】
実施の形態３．
上記の実施の形態２では、オペレーションシステム９により各光パスに必要な繰り返し復号回数を所定のマージンを持って決定して各光パスの終端点のＯＡＤＭ装置へ設定し、各ＯＡＤＭ装置の終端点ではトランスポンダのＦＥＣフレームに所定の繰り返し復号回数を設定するよう構成したが、ＧＭＰＬＳ等の分散制御プロトコルにより光パスを設定する際に光品質を判定し、シグナリングによりトランスポンダのＦＥＣフレームに所定の繰り返し復号回数を設定するよう構成しても実施の形態２と同様な効果を奏することは言うまでもない。
【００３１】
なお、他の構成および動作については、上記の実施の形態１または２と同様であるため、ここでは説明を省略する。
【００３２】
以上のように、本実施の形態においては、上記の実施の形態１および２と同様に、省電力なノード装置および光通信システムを提供することができるとともに、さらに、ＧＭＰＬＳ等の分散制御プロトコルにより光パスを設定する際に光品質を判定し、シグナリングによりトランスポンダのＦＥＣフレームに所定の繰り返し復号回数を設定するよう構成したので、安定して動作する高信頼な光通信システムを提供することができる。
【００３３】
実施の形態４．
上記の実施の形態１〜３では、硬判定処理により誤り訂正復号器の繰り返し復号回数に応じて不要な回路の動作を停止させるよう構成したが、誤り訂正性能を向上させるための手段としては軟判定処理の適用も考えられる。図８は軟判定処理による誤り訂正性能の説明図であり、図のように、軟判定処理を用いることにより硬判定処理に比べてより性能を向上させることができる。
【００３４】
なお、誤り訂正復号には、受信信号を二値化して“０”または“１”の硬判定データに変換した後に誤り訂正する硬判定復号方式と、受信信号のアナログ値そのものを硬判定データの信頼値として利用し誤り訂正する軟判定復号方法があることは一般によく知られている。軟判定復号方式は、多くの情報を扱うため、硬判定復号方式よりも、多くの誤りを訂正することができる。中でも、最尤復号法は最も多くの間違いを訂正するものとして知られている。
【００３５】
図９は軟判定回路の一例を示す構成図であり、１０１４、１０１５ａ、１０１５ｂおよび１０１５ｃは入力バッファ、１０１６ａ、１０１６ｂおよび１０１６ｃはＤフリップフロップ、１０１７は信頼度情報生成回路、１０１８ａおよび１０１８ｂは多重分離回路、１０１９ａおよび１０１９ｂは出力バッファである。図９に示したこれらの構成は、例えば、図３に示したＷＤＭ光トランシーバ１００３あるいはＦＥＣフレーマ１００２内に設けられる。本実施の形態においては、図９に示す軟判定回路を追加した点が上記の実施の形態１〜３と異なっている。他の構成および動作については、上記の実施の形態１〜３と同じであるため、ここではその説明を省略する。
【００３６】
受信電気信号は、まず、入力バッファ１０１４に入力され、そこから、３つの入力バッファ１０１５ａ、１０１５ｂおよび１０１５ｃに分配され、それぞれ、Ｄフリップフロップ１０１６ａ、１０１６ｂおよび１０１６ｃに入力される。Ｄフリップフロップ１０１６ａ、１０１６ｂおよび１０１６ｃでは、互いに異なる閾値で、受信電気信号が識別される。また、信頼度情報生成回路１０１７では、Ｄフリップフロップ１０１６ａ、１０１６ｂおよび１０１６ｃからの識別データに基づいて、硬判定データおよび信頼度情報からなる２ビットの軟判定データを生成する。多重分離回路１０１８ａでは硬判定データの直列／並列変化を行い、多重分離回路１０１８ｂでは信頼度情報の直列／並列変化を行い、それぞれ、出力バッファ１０１９ａおよび１０１９ｂを介して誤り訂正復号回路へ出力する。誤り訂正復号回路は、基本的に上記の図５または図６に示した構成と同様の構成を有しているが、本実施の形態においては、入力された信頼度情報に基づいて誤り訂正処理を行うことで訂正性能を向上させる。他の構成および動作については、上記の実施の形態１〜３と同様であるため、ここでは説明を省略する。
【００３７】
軟判定処理による誤り訂正性能が必要な光パスでは、軟判定処理と上記実施の形態１〜３において示した所定の繰り返し復号処理とが行われる。一方、軟判定処理による誤り訂正性能が不要な光パスでは、図９にハッチングで示すように、入力バッファ１０１５ｂおよび１０１５ｃ、Ｄフリップフロップ１０１６ｂおよび１０１６ｃ、多重分離回路１０１８ｂ、出力バッファ１０１９ｂの動作を停止させる。ここで、ＣＭＯＳロジック等では、クロックの供給を停止させたり、データを固定値とすることで電力消費を抑えることができ、ＣＭＬロジック等では回路の電流源をスイッチ等で遮断することで電力消費を抑えることができる。
【００３８】
本実施の形態においては、誤り訂正復号回路により、予め設定された所定の繰り返し最大回数以前に、誤りビットが全て訂正されたときには、誤り訂正復号回路による復号処理に必要な回路部分のみを動作させ、一方、予め設定された所定の繰り返し最大回数以内に、誤りビットが全て訂正されないときには、軟判定回路による軟判定復号処理を行う。
【００３９】
なお、軟判定が必要か不要か、すなわち、軟判定とするか硬判定のみとするかについてどのように決定するかにつき、以下に説明する。図７に示すように、本実施の形態においても、各ＯＡＤＭ装置１〜６の監視制御を行うオペレーションシステム９が設けられている。オペレーションシステム９では、各光パスの品質に応じて、少なくとも、軟判定処理を行うか、あるいは、硬判定処理のみを行うかを決定して、制御信号として、当該光パスの終端点のＯＡＤＭ１〜６に送信する。当該制御信号を受けたＯＡＤＭ１〜６は、制御信号に基づいて、軟判定処理による誤り訂正性能が必要か不要かを判断し、必要／不要に合わせて上記の処理を行う。
【００４０】
以上説明したように本実施の形態では、各光パス毎に必要な誤り訂正性能に応じて軟判定回路の動作を停止するか否かを制御し、軟判定が不要な場合には、軟判定回路の動作を少なくとも一部停止して、電力消費を抑制するよう構成したので、ノード数が多く伝送距離の長い大規模な光通信システムを省電力で提供することができる。
【００４１】
実施の形態５．
なお、上記実施の形態４では、２ビット軟判定で繰り返し復号回数と軟判定／硬判定とを変更する例を示したが、３ビット以上の軟判定処理として、繰り返し復号回数と軟判定処理のビット数も変更するよう構成しても同様な効果を奏する。
【符号の説明】
【００４２】
１，２，３，４，５，６  ＯＡＤＭ、７，８  光パス、９  オペレーションシステム、１０１，１０３  光合分波器、１０２  光スイッチ、１０４，１０５  トランスポンダ、１００１  クライアント光トランシーバ、１００２  ＦＥＣフレーマ、１００３  ＷＤＭ光トランシーバ、１００８，１０１２  内符号復号器、１００９，１０１３  デインターリーバ、１０１０，１０１４  外符号復号器、１０１１  インターリーバ、１０１９ａ，１０１９ｂ  出力バッファ。
【図１】
2010166378.tif 000003
【図２】
2010166378.tif 000004
【図３】
2010166378.tif 000005
【図４】
2010166378.tif 000006
【図５】
2010166378.tif 000007
【図６】
2010166378.tif 000008
【図７】
2010166378.tif 000009
【図８】
2010166378.tif 000010
【図９】
2010166378.tif 000011
【図１０】
2010166378.tif 000012
【図１１】
2010166378.tif 000013